(57)【特許請求の範囲】
【請求項１】
セルラネットワークと非セルラネットワークとを経由して、複数の別個の無線デバイスと通信すべく、複数の無線周波数電気信号を送信及び受信する物理層回路と、
スプリット発展型パケットシステム（ＥＰＳ）ベアラ（スプリットＥＰＳベアラ）を用いて、パケット化メッセージの送信を開始し、前記スプリットＥＰＳベアラは、非セルラ通信チャネルとセルラ通信チャネルとを含み、前記パケット化メッセージは、複数のインターネットプロトコル（ＩＰ）パケット（複数のＩＰパケット）を含み、
前記複数のＩＰパケットのそれぞれのＩＰヘッダフィールドに、ＩＰパケットがパケットシーケンス番号を含むことを示すＥＰＳベアラスプリッティングのインジケータを含め、
前記パケット化メッセージの前記複数のＩＰパケットのそれぞれにパケットシーケンス番号を含める処理回路と、を備え、
前記パケットシーケンス番号は、個々のパケットが属する元の送信における位置を示す、通信デバイス。
【請求項２】
前記処理回路は、前記ＥＰＳベアラスプリッティングのインジケータを、前記複数のＩＰパケットのそれぞれのＩＰヘッダの差別化サービス（ＤＳ）フィールド、サービスタイプ（ＴｏＳ）フィールド、又は生存期間（ＴＴＬ）フィールドのうちの少なくとも１つに含める、請求項１に記載の通信デバイス。
【請求項３】
前記処理回路は、前記パケット化メッセージの送信を、ＩＰ層と前記ＥＰＳベアラスプリッティングのインジケータを有する前記ＩＰ層より下の層とを含むネットワークプロトコル層スタックに従って開始する、請求項１に記載の通信デバイス。
【請求項４】
前記処理回路は、前記パケットシーケンス番号を、前記複数のＩＰパケットのそれぞれの前記ＩＰヘッダフィールドに含める、請求項１に記載の通信デバイス。
【請求項５】
前記処理回路は、前記パケットシーケンス番号を、インターネットプロトコルバージョン４（ＩＰｖ４）ＩＰヘッダのフラグメントオフセットフィールド、又は識別フィールドのうちの少なくとも１つに含める、請求項４に記載の通信デバイス。
【請求項６】
前記処理回路は、前記パケットシーケンス番号を、インターネットプロトコルバージョン６（ＩＰｖ６）ＩＰヘッダのフローラベルフィールドに含める、請求項４に記載の通信デバイス。
【請求項７】
前記処理回路は、前記パケットシーケンス番号を、前記複数のＩＰパケットのそれぞれのペイロード部分に含める、請求項１に記載の通信デバイス。
【請求項８】
前記通信デバイスはユーザ機器（ＵＥ）であって、前記処理回路は、前記非セルラ通信チャネルと前記セルラ通信チャネルとの両方を用いて、拡張型ノードＢ（ｅＮＢ）又はパケットデータネットワークゲートウェイ（ＰＤＮ  ＧＷ）のうちの少なくとも１つへの前記パケット化メッセージの送信を開始する、請求項１に記載の通信デバイス。
【請求項９】
前記通信デバイスは、ｅＮＢであって、前記処理回路は、前記非セルラ通信チャネルと前記セルラ通信チャネルとの両方を用いて、ＵＥへの前記パケット化メッセージの送信を開始する、請求項１に記載の通信デバイス。
【請求項１０】
前記通信デバイスは、ロングタームエボリューション（ＬＴＥ）セルラデバイス、ＬＴＥアドバンストセルラデバイス、及び第５世代（５Ｇ）セルラデバイスのうちの少なくとも１つを含む、請求項１から９のいずれか一項に記載の通信デバイス。
【請求項１１】
前記物理層回路に電気的に接続される１又は複数のアンテナを含む、請求項１に記載の通信デバイス。
【請求項１２】
セルラネットワークにおいて動作するためのデバイスの装置であって、
スプリット発展型パケットシステム（ＥＰＳ）ベアラ（スプリットＥＰＳベアラ）を用いて、パケット化メッセージの送信を開始し、前記スプリットＥＰＳベアラは、非セルラ通信チャネルとセルラ通信チャネルとを含み、前記パケット化メッセージは、複数のインターネットプロトコル（ＩＰ）パケット（複数のＩＰパケット）を含み、
前記複数のＩＰパケットのそれぞれのＩＰヘッダフィールドに、ＩＰパケットがパケットシーケンス番号を含むことを示すＥＰＳベアラスプリッティングのインジケータを含め、
前記パケット化メッセージの前記複数のＩＰパケットのそれぞれにパケットシーケンス番号を含める処理回路
を備え、
前記パケットシーケンス番号は、個々のパケットが属する元の送信における位置を示す、装置。
【請求項１３】
前記処理回路は、前記パケット化メッセージの前記パケットシーケンス番号を、前記複数のＩＰパケットのそれぞれのＩＰヘッダフィールドに含める、請求項１２に記載の装置。
【請求項１４】
前記処理回路は、前記パケット化メッセージの前記パケットシーケンス番号を、前記複数のＩＰパケットのそれぞれのデータペイロードに含める、請求項１２に記載の装置。
【請求項１５】
前記装置は、前記セルラネットワークのユーザ機器デバイス（ＵＥ）に含まれる、請求項１２から１４のいずれか一項に記載の装置。
【請求項１６】
前記装置は、拡張型ノードＢ（ｅＮＢ）に含まれる、請求項１２に記載の装置。
【請求項１７】
セルラネットワークと非セルラネットワークとを経由して、複数の別個の無線デバイスと通信すべく、複数の無線周波数電気信号を送信及び受信する物理層回路であって、前記送信及び受信することは、スプリット発展型パケットシステム（ＥＰＳ）ベアラ（スプリットＥＰＳベアラ）を用いてパケット化メッセージを受信することを含み、前記スプリットＥＰＳベアラは、非セルラ通信チャネルとセルラ通信チャネルとを含み、前記パケット化メッセージの複数のＩＰパケットは、前記スプリットＥＰＳベアラの両方の複数のチャネルを経由して受信される物理層回路と、
受信された前記複数のＩＰパケットのそれぞれがパケットシーケンス番号を含むことを決定すべく、ＩＰパケットがパケットシーケンス番号を含むことを示すＥＰＳベアラスプリッティングのインジケータを、ＩＰヘッダフィールドにおいてデコードし、受信された前記複数のＩＰパケットを、前記パケットシーケンス番号に従ってリオーダし、前記リオーダされたパケット化メッセージを、通信デバイスにより実行可能な処理に提供する処理回路と
を備え、
前記パケットシーケンス番号は、個々のパケットが属する元の送信における位置を示す、通信デバイス。
【請求項１８】
前記処理回路は、前記複数のＩＰパケットのそれぞれのＩＰヘッダの差別化サービス（ＤＳ）フィールド、サービスタイプ（ＴｏＳ）フィールド、又は生存期間（ＴＴＬ）フィールドのうちの少なくとも１つに含まれるＥＰＳベアラスプリッティングのインジケータをデコードする、請求項１７に記載の通信デバイス。
【請求項１９】
前記処理回路は、前記パケット化メッセージを、ＩＰ層を含むネットワークプロトコル層スタックに従って受信し、前記ネットワークプロトコル層スタックにおいて前記ＩＰ層より下の層に含まれるＥＰＳベアラスプリッティングのインジケータをデコードする、請求項１７に記載の通信デバイス。
【請求項２０】
前記処理回路は、受信されたＩＰパケットのＩＰヘッダフィールドに含まれるパケットシーケンス番号を読み出し、前記ＩＰヘッダフィールドを規定値にリセットする、請求項１７に記載の通信デバイス。
【請求項２１】
前記通信デバイスは、ロングタームエボリューション（ＬＴＥ）セルラデバイス、ＬＴＥアドバンストセルラデバイス、及び第５世代（５Ｇ）セルラデバイスのうちの少なくとも１つを含む、請求項１７から２０のいずれか一項に記載の通信デバイス。
【請求項２２】
コンピュータに、
スプリット発展型パケットシステム（ＥＰＳ）ベアラ（スプリットＥＰＳベアラ）を用いて、パケット化メッセージを送信する手順であって、前記スプリットＥＰＳベアラは、非セルラ通信チャネルとセルラ通信チャネルとを含み、前記パケット化メッセージは、複数のインターネットプロトコル（ＩＰ）パケット（複数のＩＰパケット）を含む手順と、
前記複数のＩＰパケットのそれぞれのＩＰヘッダフィールドに、ＩＰパケットがパケットシーケンス番号を含むことを示すＥＰＳベアラスプリッティングのインジケータを含める手順と、
前記パケット化メッセージの前記複数のＩＰパケットのそれぞれにパケットシーケンス番号を含める手順とを実行させ、前記パケットシーケンス番号は、個々のパケットが属する元の送信における位置を示す、プログラム。
【請求項２３】
前記コンピュータに、前記パケットシーケンス番号を、前記複数のＩＰパケットのそれぞれのＩＰヘッダフィールドに含める手順を実行させる、請求項２２に記載のプログラム。
【請求項２４】
前記コンピュータに、前記ＥＰＳベアラスプリッティングのインジケータを、前記複数のＩＰパケットのそれぞれのＩＰヘッダの差別化サービス（ＤＳ）フィールド、サービスタイプ（ＴｏＳ）フィールド、又は生存期間（ＴＴＬ）フィールドのうちの少なくとも１つに含める手順を実行させる、請求項２２又は請求項２３に記載のプログラム。
【請求項２５】
前記コンピュータに、前記パケットシーケンス番号を、前記複数のＩＰパケットのそれぞれのペイロード部分に含める手順を実行させる、請求項２２に記載のプログラム。
【請求項２６】
請求項２２から２５のいずれか一項に記載のプログラムを格納したコンピュータ可読記録媒体。
【発明の詳細な説明】
【技術分野】
【０００１】
［優先権出願］
本出願は、２０１４年７月８日に出願された、米国仮出願第６２／０２２、０５５号の優先権の利益を主張し、その全体が参照によって、本明細書に組み込まれる。
【０００２】
実施形態は、無線アクセスネットワークを用いてパケット化データを送信することに関する。いくつかの実施形態は、無認可の通信スペクトルを用いて、セルラネットワークデータを、情報を伝達するのに用いられる種類のセルラデバイスに伝達することに関する。
【背景技術】
【０００３】
無線アクセスネットワークは、データ通信、音声通信、及びビデオ通信のうち１又は複数を、セルラ電話又はスマートフォンのようなユーザ機器に配信するために用いられる。いくつかの無線ネットワークは、パケット交換ネットワークで、音声及びビデオデータのような情報がネットワークを介して送信されるときに、パケット化する。音声及びビデオを伝達することに対する需要が増えるにつれ、無線アクセスネットワークがそれらのピークキャパシティに近づくと、サービスの品質が低下し得る。したがって、ユーザ機器との通信のためのロバストなプロトコルを提供する、デバイス、システム、及び方法が一般的に必要とされている。
【図面の簡単な説明】
【０００４】
【図１】いくつかの実施形態に従った、ネットワークの様々なコンポーネントを有するＬＴＥネットワークのエンドツーエンドネットワークアーキテクチャの一部の例である。
【０００５】
【図２】いくつかの実施形態に従った、プロトコル通信アーキテクチャの例のブロック図である。
【０００６】
【図３】いくつかの実施形態に従った、第３世代パートナーシッププロジェクト（３ＧＰＰ）セルラユーザプレーンプロトコルスタックの例の図である。
【０００７】
【図４】いくつかの実施形態に従った、エンドツーエンド３ＧＰＰセルラネットワークアーキテクチャの別の例のブロック図である。
【０００８】
【図５】いくつかの実施形態に従った、エンドツーエンド３ＧＰＰセルラネットワークアーキテクチャの別の例のブロック図である。
【０００９】
【図６】いくつかの実施形態に従った、３ＧＰＰセルラユーザプレーンプロトコルスタックの別の例の図である。
【００１０】
【図７】いくつかの実施形態に従った、３ＧＰＰセルラユーザプレーンプロトコルスタックの更なる別の例の図である。
【００１１】
【図８】いくつかの実施形態に従った、３ＧＰＰセルラユーザプレーンプロトコルスタックの更なる別の例の図である。
【００１２】
【図９】いくつかの実施形態に従った、３ＧＰＰセルラユーザプレーンプロトコルスタックの更なる別の例の図である。
【００１３】
【図１０】いくつかの実施形態に従った、無線セルラ通信デバイスのブロック図である。
【００１４】
【図１１】いくつかの実施形態に従った、インターネットプロトコルパケットの例の図である。
【００１５】
【図１２】いくつかの実施形態に従った、インターネットプロトコル（ＩＰ）パケットの別の例の図である。
【発明を実施するための形態】
【００１６】
以下の記述及び図面は、当業者が特定の実施形態を実施することを可能にすべく、それらを十分に説明する。他の実施形態は、構造的、論理的、電気的、処理的及び他の変更を組み込み得る。いくつかの実施形態の一部及び特徴は、他の実施形態のそれらの中に含まれ得、又はそれらに代用され得る。特許請求の範囲に記載される実施形態は、それらの特許請求の範囲の全ての利用可能な等価物を包含する。
【００１７】
図１は、いくつかの実施形態に従った、ネットワークの様々なコンポーネントを有する第３世代パートナーシッププロジェクト（３ＧＰＰ）ロングタームエボリューション（ＬＴＥ）セルラネットワークのエンドツーエンドネットワークアーキテクチャの一部の例を示す。ネットワーク１００は、無線アクセスネットワーク（ＲＡＮ）（例えば、図示されるように、Ｅ−ＵＴＲＡＮ、又は発展型ユニバーサル地上波無線アクセスネットワーク）１０１、及びコアネットワーク１２０（例えば、発展型パケットコア（ＥＰＣ）として示される）を備え、それらは、Ｓ１インタフェース１１５を介して共に結合される。便宜上及び簡潔さのために、コアネットワーク１２０並びにＲＡＮ１０１の一部のみが例において示される。
【００１８】
コアネットワーク１２０は、モビリティ管理エンティティ（ＭＭＥ）１２２、サービングゲートウェイ（サービングＧＷ）１２４、及びパケットデータネットワークゲートウェイ（ＰＤＮ  ＧＷ）１２６を含む。ＲＡＮは、ユーザ機器（ＵＥ）１０２と通信するための（基地局として動作し得る）拡張型ノードＢ（ｅＮＢ）１０４を含む。
【００１９】
ＭＭＥ１２２は、機能において、レガシーサービングＧＰＲＳサポートノード（ＳＧＳＮ）の制御プレーンと同様である。ＭＭＥは、ゲートウェイの選択、及びトラッキングエリアリストの管理のような、アクセスにおけるモビリティの側面を管理する。サービングＧＷ１２４は、ＲＡＮ１０１向けのインタフェースを終端し、ＲＡＮ１０１とコアネットワーク１２０との間のデータパケットをルーティングする。加えて、それは、ｅＮＢ間ハンドオーバに対するローカルモビリティアンカーポイントであってよく、また、３ＧＰＰ間モビリティに対するアンカーを提供し得る。他の能力は、合法的インターセプト、チャージ、及びいくつかのポリシー施行を含み得る。サービングＧＷ１２４及びＭＭＥ１２２は、１つの物理ノード又は複数の個別の物理ノードに実装され得る。ＰＤＮ  ＧＷ１２６は、パケットデータネットワーク（ＰＤＮ）向けのＳＧｉインタフェースを終端する。ＰＤＮ  ＧＷ１２６は、ＥＰＣ１２０と外部ＰＤＮとの間でデータパケットをルーティングし、ポリシー施行及びチャージデータ収集のためのキーノードであり得る。それはまた、非ＬＴＥアクセスを有するモビリティに対してアンカーポイントを提供し得る。外部ＰＤＮは、任意の種類のＩＰネットワーク、並びにＩＰマルチメディアサブシステム（ＩＭＳ）ドメインであり得る。ＰＤＮ  ＧＷ１２６及びサービングＧＷ１２４は、１つの物理ノード又は複数の個別の物理ノードに実装され得る。
【００２０】
ｅＮＢ１０４（マクロ及びマイクロ）は、エアインタフェースプロトコルを終端し、ＵＥ１０２に対するコンタクトの最初のポイントであり得る。いくつかの実施形態において、ｅＮＢ１０４は、限定されるものではないが、無線ベアラ管理、アップリンク及びダウンリンク動的無線リソース管理、及びデータパケットスケジューリング、及びモビリティ管理のようなＲＮＣ（無線ネットワークコントローラ機能）を含む、ＲＡＮ１０１に対する様々な論理機能を実行し得る。実施形態に従って、ＵＥ１０２は、ＯＦＤＭＡ通信技術に従って、マルチキャリア通信チャネルを介して、ｅＮＢ１０４とＯＦＤＭ通信信号を通信するように構成され得る。ＯＦＤＭ信号は、複数の直交サブキャリアを備え得る。
【００２１】
Ｓ１インタフェース１１５は、ＲＡＮ１０１及びＥＰＣ１２０を分離するインタフェースである。Ｓ１は、Ｓ１−ＵとＳ１―ＭＭＥとの２パートにスプリットされる。Ｓ１−Ｕは、ｅＮＢ１０４とサービングＧＷ１２４との間でトラフィックデータを伝え、Ｓ１−ＭＭＥは、ｅＮＢ１０４とＭＭＥ１２２との間のシグナリングインタフェースである。Ｓ１１インタフェースは、サービングＧＷとＭＭＥ１２２との間のインタフェースである。Ｓ５又はＳ８インタフェースは、サービングＧＷ１２４とＰＤＮ  ＧＷ１２６との間のインタフェースである。Ｘ２インタフェースは、複数のｅＮＢ１０４間のインタフェースである。Ｘ２インタフェースは、２パート、つまり、Ｘ２−ＣとＸ２−Ｕとを備える。Ｘ２−Ｃは、複数のｅＮＢ１０４間の制御プレーンインタフェースであり、他方で、Ｘ２−Ｕは、複数のｅＮＢ１０４間のユーザプレーンインタフェースである。
【００２２】
ＵＥ１０２は、信号をｅＮＢへ送信、及びｅＮＢから受信するための物理層（ＰＨＹ）回路を含み得る。ＵＥ１０２はまた、無線媒体へのアクセスを制御するための媒体アクセス制御層（ＭＡＣ）回路を含み得る。ＵＥ１０２は、無線プロトコルに従って、ｅＮＢと通信する。ＵＥ１０２は、無線通信機能を有するパーソナルデジタルアシスタント（ＰＤＡ）、ラップトップ、又はポータブルコンピュータ、ウェブタブレット、無線電話、スマートフォン、無線ヘッドセット、ページャ、インスタントメッセージングデバイス、デジタルカメラ、アクセスポイント、テレビ、医療デバイス（例えば、心拍数モニタ、血圧モニタ等）、又は無線で情報を受信及び／又は送信し得る他のデバイスのような、ポータブル無線通信デバイスの一部であり得る。ＵＥは、キーボード、ディスプレイ、不揮発性メモリポート、複数のアンテナ、グラフィックスプロセッサ、アプリケーションプロセッサ、スピーカ、及び他のモバイルデバイス要素のうち１又は複数を含み得る。ディスプレイは、タッチスクリーンを含む、ＬＣＤスクリーンであり得る。
【００２３】
図２は、ＬＴＥネットワークのデバイスに対するプロトコル通信アーキテクチャの例のブロック図である。プロトコルスタックは、制御プレーン２３２と、ユーザプレーン２３４もしくはｕプレーンとを含む。制御プレーン２３２で、無線リソース制御（ＲＲＣ）プロトコルは、ｅＮＢとＵＥとの間で通信されるシグナリングメッセージを作成する。ｕプレーンで、データパケットは、インターネットプロトコル（ＩＰ）に従って、作成及び処理され得る。
【００２４】
図３は、セルラｕプレーンプロトコルスタックの例の図である。プロトコルスタックの層は、パケットデータ収束プロトコル（ＰＤＣＰ）層、無線リンク制御（ＲＬＣ）プロトコル層、及びＭＡＣプロトコル層を含む。ＩＰパケットは、プロトコルスタックの最上部層から下部層まで処理される。層を用いて処理された情報は、送信のため、ＰＨＹ回路に渡され得る。図１のＥＰＣ１２０において、パケットは特定のＥＰＣプロトコルでカプセル化され、ＰＤＮ  ＧＷ１２６とｅＮＢ１０４との間でトンネリングされる。汎用パケット無線サービス（ＧＰＲ）トンネリングプロトコル（ＧＴＰ）は、ｅＮＢ１０４とサービングＧＷ１２４との間のＳ１インタフェース上で用いられ得、それはまた、ＰＤＮ  ＧＷ１２６とサービングＧＷ１２４との間のＳ５／８インタフェース上で用いられ得る。異なるプロトコルが、インタフェースに応じて用いられ得る。
【００２５】
前に説明されたように、音声データ、ビデオデータ、及び他のデータの無線通信への需要が増加し続けている。ＲＡＮ１０１は、例えば、通信レイテンシのような好ましくないネットワークの影響をもたらし得る、大量の通信トラフィックが生じ得る。ネットワークトラフィックを緩和すべく、セルラネットワークデバイスにより使用が認可されていない通信スペクトルを用いて動作するネットワークから、通信機能をＲＡＮデバイスに提供することにより、非セルラ（例えば、Ｗｉ−Ｆｉ）ネットワークキャパシティが追加され得る。例えば、通信のピークが局所的に生じ得、その場所で役目を果たすＲＡＮは、ピーク需要を生じ得る。その場所は、ラップトップコンピュータ及びコンピュータタブレットのようなコンピューティングデバイスのためのＷｉ−Ｆｉネットワーク（例えば、無線ローカルエリアネットワーク又はＷＬＡＮ）を含み得る。しかし、無線セルラデバイスは、Ｗｉ−Ｆｉ通信スペクトル（例えば、２．４ギガヘルツ（ＧＨｚ）又は５ＧＨｚの通信チャネル）において動作することを認可されていない。
【００２６】
いくつかの実施形態に従って、ＲＡＮ（例えば、ＬＴＥネットワーク）の無線セルラデバイスは、利用可能なＷｉ−Ｆｉ通信スペクトルを用いて情報を伝達する。通信帯域幅を増やすべく、セルラネットワークは、キャリア又はリンクアグリゲーションを用い得る。リンクアグリゲーションにおいて、１つより多いキャリア又はチャネルが、通信セッション中にセルラデバイスにより用いられる。いくつかの実施形態において、無線セルラデバイスは、セルラチャネル及び非セルラ（例えば、Ｗｉ−Ｆｉ）チャネルを、通信セッション中に集約する。いくつかの実施形態において、無線セルラデバイスは、セルラチャネルと非セルラチャネルとの間を、通信セッション中にシームレスに切り替える。
【００２７】
図４は、エンドツーエンドネットワークアーキテクチャの別の例のブロック図である。ネットワークアーキテクチャは、図１の例と同様であるが、無線ローカルエリアネットワークノード（ＷＬＡＮ）４０８をまた含む。ＵＥ４０２は、（セルラリンクＵｕを経由して）ｅＮＢ４０４及びＷＬＡＮ４０８のうち１又は両方と通信し得る。ＷＬＡＮは、ＵＥ及びｅＮＢの両方と通信し得る。ＷＬＡＮ４０８は、ＵＥ４０２に対するアクセスポイント（ＡＰ）であり得る。ＲＡＮのｅＮＢが、セルラ／Ｗｉ−Ｆｉネットワークの組み合わせに対するモビリティアンカーとして機能することから、アーキテクチャはＲＡＮベースと呼ばれ得る。セルラ／Ｗｉ−Ｆｉチャネルのアグリゲーションは、コアネットワークエレメント（例えば、サービングＧＷ４２４、ＰＤＮ  ＧＷ４２６、及びＭＭＥ４２２）にトランスペアレントである。
【００２８】
図５は、エンドツーエンドネットワークアーキテクチャの別の例のブロック図である。この例において、ＵＥは、ＷＬＡＮ５０８とｅＮＢ５０４とを経由して、ＰＤＮ  ＧＷ５２６（発展型パケットデータゲートウェイ、又はｅＰＤＧ）と通信し得る。ＲＡＮのＰＤＮ  ＧＷ５２６は、セルラ／Ｗｉ−Ｆｉネットワークの組み合わせに対してモビリティアンカーとして機能することから、アーキテクチャは、コアベースと呼ばれ得る。この例において、セルラ／Ｗｉ−Ｆｉチャネルのアグリゲーションは、ＰＤＮ  ＧＷ５２６、サービングＧＷ５２４、ＭＭＥ５２２、ｅＮＢ５０４、及びＵＥ５０２間での明示的なメッセージ交換を用いて管理される。
【００２９】
図６は、ｕプレーンプロトコルスタックの別の例の図である。ＷＬＡＮトンネリングプロトコル（ＷＬＴＰ）層を含むＷｉ−Ｆｉプロトコル列が、図３の例のｕプレーンプロトコルスタックに追加される。発展型パケットシステム（ＥＰＳ）において、ＥＰＳベアラは、システムにおける２つのポイント間の仮想コネクションである。単一のＥＰＳベアラが、Ｗｉ−Ｆｉリンク又はセルラリンクのいずれかを用いて提供される。ＥＰＳベアラに対するリンクは、単一の通信セッション中に、Ｗｉ−Ｆｉリンクとセルラリンクとの間で変更し得る。このことは、ベアラモビリティと呼ばれ得、セルラネットワークに対するいくつかの通信は、Ｗｉ−Ｆｉリンク上にオフロードされ得る。
【００３０】
ベアラモビリティにおける改善は、ＥＰＳベアラが、セルラリンクとＷｉ−Ｆｉリンクとの間でスプリットされることを許可することである。このことは、セルラリンク及びＷｉ−Ｆｉリンクの両方を用いて、単一の通信のパケットがスプリットＥＰＳベアラを介して送信され得、いくつかのパケットはセルラリンクを介して送信され、いくつかのパケットはＷｉ−Ｆｉリンクを介して送信されることを意味する。しかしながら、図２及び３の例に示されるように、スプリットＥＰＳベアラが用いられる場合、パケットは異なるパスを取り得る。例えば、ＵＥにより送信されるいくつかのパケットは、ＷＬＡＮパスを含むパスを取り得、いくつかのパケットは、ｅＮＢを含むパスを取り得る。パスが異なるということによって、目的地にアウトオブオーダで到達し得るパケットをもたらすことになり得、パケットは目的地でリオーダされる必要があり得る。また、ＥＰＳベアラスプリッティングを実装するｕプレーンプロトコルスタックへの任意の変更は、存在するシステムと互換性を有するべきである。また、ｕプレーンプロトコルスタックへの変更が、ＲＡＮベースのネットワークアーキテクチャ（図４）、及びコアベースのネットワークアーキテクチャ（図５）の両方と互換性を有すれば、好ましい。
【００３１】
図７は、ｕプレーンプロトコルスタックの別の例の図である。新しいプロトコル層である、デュアルリンクデータ収束（ＤＬＤＣ）は、ＩＰ層より下で且つＰＤＣＰ／ＷＬＴＰ層より上に挿入される。この層は、とりわけ、リンク間の通信のスプリッティング、通信のリオーダ、及び通信の再送信のような、ＥＰＳベアラスプリッティングに関連する動作を処理するのに用いられ得る。シーケンス番号は、ベアラスプリッティングに用いられる、パケット毎の制御パラメータである。シーケンス番号は、個々のパケットが属する元の送信における位置を示す。受信デバイスは、それから、アウトオブオーダで到達するパケットを正しいオーダへとリオーダすることが可能で、インオーダのパケットを上位層プロトコル（例えば、ＩＰ送信制御プロトコル（ＴＣＰ）、ユーザデータグラムプロトコル（ＵＤＰ）等）に配信することが可能である。図７で示される例は、ＤＬＤＣ層を、ＲＡＮベースのＷｉ−Ｆｉ／ＲＡＮ（例えば、３ＧＰＰ  ＲＡＮ）統合ネットワークに対するｕプレーンプロトコルスタックに追加する例である。
【００３２】
図８は、ｕプレーンプロトコルスタックの別の例の図である。この例は、コアベースネットワーク（例えば、信頼される非３ＧＰＰ  ＲＡＮ）に対するプロトコルスタックに追加されるＤＬＤＣ層を示す。ＤＬＤＣ層は、ＩＰ層より下で、且つ（セルラ及びＷＬＡＮ）層１（Ｌ１）又は層２（Ｌ２）より上に挿入されて示されている。図９は、コアベースのネットワーク（例えば、信頼されない非３ＧＰＰ  ＲＡＮ）に対するｕプレーンプロトコルスタックの別の例の図である。ＤＬＤＣ層が、ＩＰ層より下で、且つＩＰセキュリティ（ＩＰＳｅｃ）層より上に挿入されて示されている。
【００３３】
図１０は、いくつかの実施形態に従った、無線セルラ通信デバイスのブロック図である。通信デバイス１０００は、図１に示される複数のＵＥ１０２のいずれかであり得、又は通信デバイスは、図１の複数のｅＮＢ１０４のいずれかであり得る。通信デバイス１０００は、ＰＨＹ回路に電気的に接続される１又は複数のアンテナ１００１を用いて無線周波数電気信号を送信及び受信するためのＰＨＹ回路１００２を含み得る。ＰＨＹ回路１００２は、変調／復調、アップコンバージョン／ダウンコンバージョン、フィルタリング、増幅等のための回路を含み得る。通信デバイス１０００はまた、無線媒体へのアクセスを制御するための、且つ、無線媒体を介して伝達するためのフレーム又はパケットを構成するＭＡＣ回路１００４を含み得る。通信デバイス１０００はまた、本明細書で説明される動作を実行する通信デバイスの様々な要素を構成するように配置された処理回路１００６及びメモリ１００８を含み得る。メモリ１００８は、動作を実行する処理回路１００６を構成するための情報を格納するのに用いられ得る。
【００３４】
通信デバイス１０００により用いられる１又は複数のアンテナ１００１は、例えば、ダイポールアンテナ、モノポールアンテナ、パッチアンテナ、ループアンテナ、マイクロストリップアンテナ、又はＲＦ信号の送信に適切な他のタイプのアンテナを含む、１又は複数の方向性又は全方向性アンテナを備え得る。いくつかの実施形態において、２又はそれより多いアンテナの代わりに、複数の開口を有する単一のアンテナが用いられ得る。これらの実施形態において、各開口は、別個のアンテナと見なされ得る。いくつかのマルチ入力マルチ出力（ＭＩＭＯ）の実施形態において、アンテナは、受信局のアンテナの各々と、送信局のアンテナの各々との間で生じ得る空間ダイバーシチ及び異なるチャネル特性を生かすべく、効果的に分離され得る。いくつかのＭＩＭＯ実施形態において、アンテナは、最大で、１波長の１／１０又はそれより多くに分離され得る。
【００３５】
通信デバイス１０００は、幾つかの別個の機能要素を有するものとして示されているが、機能要素の１又は複数は組み合わされ得、デジタルシグナルプロセッサ（ＤＳＰ）、及び／又は他のハードウェア要素を含む処理要素のようなソフトウェア構成の要素の組み合わせにより実装され得る。例えば、いくつかの要素は、１又は複数のマイクロプロセッサ、ＤＳＰ、特定用途向け集積回路（ＡＳＩＣ）、無線周波数集積回路（ＲＦＩＣ）、及び、本明細書で説明される機能を少なくとも実行するための様々なハードウェア及びロジック回路の組み合わせを備え得る。いくつかの実施形態において、機能要素は、１又は複数の処理要素上で動作する１又は複数の処理動作を指し得る。
【００３６】
説明される実施形態は、ハードウェア、ファームウェア、及びソフトウェアの１つ又はそれらの組み合わせにおいて実装され得る。実施形態はまた、本明細書で説明される動作を実行すべく、少なくとも１つのプロセッサにより読み出され又は実行され得る、コンピュータ可読記憶媒体上に格納される命令として、実装され得る。コンピュータ可読記憶媒体は、機械（例えば、コンピュータ）により読み取り可能な形式で情報を格納するための任意の非一時的メカニズムを含み得る。例えば、コンピュータ可読記憶媒体は、リードオンリメモリ（ＲＯＭ）、ランダムアクセスメモリ（ＲＡＭ）、磁気ディスク記憶媒体、光記憶媒体、フラッシュメモリデバイス、及び他の記憶デバイス並びに媒体を含み得る。これらの実施形態において、１又は複数のプロセッサは、本明細書で説明される動作を実行する命令で構成され得る。
【００３７】
いくつかの実施形態において、処理回路８０６は、ＯＦＤＭＡ通信技術に従って、マルチキャリア通信チャネルを介してＯＦＤＭ通信信号を受信するように構成され得る。ＯＦＤＭ信号は、複数の直交サブキャリアを備え得る。いくつかのブロードバンドマルチキャリアの実施形態において、通信デバイス１０００は、ワールドワイド・インターオペラビリティ・フォー・マイクロウェーブ・アクセス（ＷｉＭＡＸ）通信ネットワーク、又は、３ＧＰＰユニバーサル地上波無線アクセスネットワーク（ＵＴＲＡＮ）、又はロングタームエボリューション（ＬＴＥ）通信ネットワーク、又はＬＴＥアドバンスト通信ネットワーク、又は第５世代（５Ｇ）ＬＴＥ通信ネットワーク、又は高速ダウンリンク／アップリンクアクセス（ＨＳＤＰＡ／ＨＳＵＰＡ）通信ネットワークのようなブロードバンド無線アクセス（ＢＷＡ）ネットワーク通信ネットワークの一部として動作し得るが、発明の範囲はこの点に限定されない。
【００３８】
Ｗｉ−Ｆｉ通信スペクトルのＷｉ−Ｆｉ通信チャネルを用いて、１又は複数の別個の無線デバイスと直接的に通信すべく、ＰＨＹ回路１００２はまた、無線周波数電気信号を送信及び受信するように構成され得る。Ｗｉ−Ｆｉ通信チャネルは、２０１２年３月２９日に公開された米国電気電子技術者協会８０２．１１−２０１２規格のような、ＩＥＥＥ１００２．１１規格の１つのもとで実装されるＷｉ−Ｆｉネットワークにより確立され得る。例えば、ＭＡＣ回路１００４は、前に説明されたＷｉ−Ｆｉ規格に従って確立されたプロトコルのような、ＩＰ及びＷｉ−Ｆｉプロトコルを用いて通信するためのフレーム又はパケットを準備するように構成され得る。
【００３９】
同一の通信セッション中にＷｉ−Ｆｉセルラ通信チャネル、及びセルラ通信チャネルの両方を用いて、パケット化メッセージの送信を開始すべく、処理回路１００６は（例えば、ハードウェア、ファームウェア、及びソフトウェアの１つ又はそれらの組み合わせにより）構成される。いくつかの実施形態において、通信デバイス１０００は、ＵＥであり得、処理回路１００６は、Ｗｉ−Ｆｉ通信チャネル及びセルラ通信チャネルの両方を用いて、ｅＮＢへのパケット化メッセージの送信を開始する。いくつかの実施形態において、処理回路１００６は、Ｗｉ−Ｆｉ通信チャネル及びセルラ通信チャネルの両方を用いて、ＰＤＮ  ＧＷへのパケット化メッセージの送信を開始する。
【００４０】
パケット化メッセージは、複数のＩＰパケットを含む。処理回路１００６は、ＩＰパケットフォーマットが変更されたこと、及びパケットシーケンス番号を含むことを、ＩＰパケットのＩＰヘッダフィールドに示す。パケット化メッセージは、セルラチャネル及びＷｉ−Ｆｉチャネルの両方を用いて通信されるので、ＥＰＳベアラは、スプリットＥＰＳベアラである。いくつかの実施形態において、ＥＰＳベアラスプリッティングのインジケータは、図７から９の例に示されるＤＬＤＣ層に含まれ得る。いくつかの実施形態において、ＩＰヘッダフィールドは、ＩＰパケットがパケットシーケンス番号を含むことを示すＥＰＳベアラスプリッティングのインジケータを含む。
【００４１】
図１１は、ＩＰパケットの例の図である。ＩＰパケットは、ＩＰパケットヘッダ１１１０又はヘッダ部分、及びＩＰデータペイロード１１１２又はデータ部分を含む。いくつかの実施形態において、ＥＰＳベアラスプリッティングのインジケータは、ＩＰヘッダのサービスタイプ（ＴｏＳ）フィールド１１１４の又は差別化サービス（ＤＳ）フィールドに含まれる。示される例において、差別化サービスコードポイント値（ＤＳＣＰ）が、ＥＰＳベアラスプリッティングのインジケータとして、全て１（「１１１１１１」）に変更される。ＤＳＣＰの他の確保された値は、ＥＰＳベアラスプリッティングを示すのに用いられ得る。いくつかのバリエーションにおいて、ＥＰＳベアラスプリッティングのインジケータは、ＩＰヘッダの生存期間（ＴＴＬ）フィールド１１２６に含まれる。
【００４２】
処理回路１００６はまた、パケットシーケンス番号をＩＰパケットに含む。いくつかの実施形態において、パケットシーケンス番号は、ＥＰＳベアラスプリッティングのインジケータと共にＩＰヘッダフィールドに含まれる。図１１の例において、パケットシーケンス番号は、ＩＰヘッダの識別フィールド１１１６に含まれる。ＩＰプロトコルは、バージョン４（ＩＰｖ４）であり得、パケットシーケンス番号は、ＩＰヘッダの識別フィールド１１１６又はフラグメントオフセットフィールド１１１８に含まれ得る。いくつかの実施形態において、ＩＰプロトコルは、バージョン６（ＩＰｖ６）であり、パケットシーケンス番号は、ＩＰヘッダのフローラベルフィールドに含まれる。ＥＰＳベアラスプリッティングのインジケータ及びパケットシーケンス番号の１又は両方がＩＰヘッダに含まれる場合、ヘッダチェックサム１１２０は更新され得る。
【００４３】
図１２は、ＩＰパケットの別の例の図である。パケットは、ＩＰパケットヘッダ１２１０とペイロード部分とを含む。パケットシーケンス番号１２２２は、ペイロード部分に追加される。パケットシーケンス番号１２２２は、ＩＰパケットペイロードの始まり又は終わりに含まれ得る。パケットシーケンス番号がＩＰパケットに追加されるので、パケットシーケンス番号１２２２がペイロード部分に追加されるとき、総長フィールド１２２４は更新され得る。ヘッダチェックサム１２２０はまた、更新され得る。
【００４４】
図１０に戻り、ＰＨＹ回路１００２はまた、Ｗｉ−Ｆｉセルラ通信チャネル及びセルラ通信チャネルの両方を用いて、パケット化メッセージを受信する。処理回路１００６は、受信されたＩＰパケットがパケットシーケンス番号を含むことを検出し、受信されたＩＰパケットをパケットシーケンス番号に従ってリオーダし、通信デバイスにより実行可能な処理に、インオーダのパケット化メッセージを提供する。処理は、処理回路１００６、又は別個の処理回路により実行可能であり得る。処理回路は、オーダされたパケット化メッセージを、通信デバイスの上位プロトコル層に提供し得る。
【００４５】
いくつかの実施形態において、受信されたＩＰパケットがパケットシーケンス番号を含むことを決定すべく、処理回路１００６は、ＩＰパケットのＩＰヘッダフィールドをデコードする。ＩＰヘッダフィールドは、本明細書で前に説明された方法のいずれかを用いてＩＰヘッダフィールドに含まれ得る。いくつかの実施形態において、処理回路１００６は、ＩＰヘッダフィールドをデコードすることにより、ＥＰＳベアラスプリッティングの指標を検出する。処理回路１００６は、ＩＰヘッダフィールドから、又はＩＰペイロードからシーケンス番号を読み出し得る。いくつかの実施形態において、パケットシーケンス番号が読み出されるとき、処理回路１００６は、ＩＰヘッダフィールドに含まれるパケットシーケンス番号を読み出し、ＩＰヘッダフィールドを規定値にリセットする。
【００４６】
本明細書で説明される幾つかの実施形態は、利用可能なＷｉ−Ｆｉネットワークを用いて、無線アクセスネットワークに対する通信帯域幅の増加をもたらす。単一のベアラは、セルラ通信チャネル及びＷｉ−Ｆｉ通信チャネルとの間でスプリットされ得る。ベアラスプリッティングは、レガシーｕプレーンプロトコルと、またコアベースネットワークと互換性のある通信プロトコルを介して実装される。
【００４７】
［追加の注記及び例］
例１は、セルラネットワークと非セルラネットワークとを経由して、１又は複数の別個の無線デバイスと直接的に通信すべく、複数の無線周波数電気信号を送信及び受信するように構成された物理層回路と、スプリット発展型パケットシステム（ＥＰＳ）ベアラを用いて、パケット化メッセージの送信を開始し、スプリットＥＰＳベアラは、非セルラ通信チャネルとセルラ通信チャネルとを含み、パケット化メッセージは、複数のインターネットプロトコル（ＩＰ）パケットを含み、ＥＰＳベアラスプリッティングのインジケータを、複数のＩＰパケットのうちの一のＩＰパケットのＩＰヘッダフィールドに含め、複数のパケットシーケンス番号をパケット化メッセージの複数のＩＰパケットに含めるように構成された処理回路とを備える、（通信デバイスのような）主題を含む。
【００４８】
例２において、例１の主題は、ＥＰＳベアラスプリッティングのインジケータを、複数のＩＰパケットのうちの一のＩＰパケットのＩＰヘッダの差別化サービス（ＤＳ）フィールド、サービスタイプ（ＴｏＳ）フィールド、又は生存期間（ＴＴＬ）フィールドのうちの少なくとも１つに含めるように構成された処理回路を任意選択で含む。
【００４９】
例３において、例１及び２の１つ又は任意の組み合わせの主題は、パケット化メッセージの送信を、ＩＰ層を含むネットワークプロトコル層スタックに従って開始するように構成された処理回路を任意選択で含み、ＥＰＳベアラスプリッティングのインジケータは、ＩＰ層より下の層に任意選択に含まれる。
【００５０】
例４において、例１から３の１つ又は任意の組み合わせの主題は、パケットシーケンス番号を、複数のＩＰパケットのうちの一のＩＰパケットのＩＰヘッダフィールドに含めるように構成された処理回路を任意選択で含む。
【００５１】
例５において、例４の主題は、パケットシーケンス番号を、インターネットプロトコルバージョン４（ＩＰｖ４）ＩＰヘッダのフラグメントオフセットフィールド、又は識別フィールドのうちの少なくとも１つに含めるように構成された処理回路を任意選択で含む。
【００５２】
例６において、例４の主題は、パケットシーケンス番号を、インターネットプロトコルバージョン（ＩＰｖ６）ＩＰヘッダのフローラベルフィールドに含めるように構成された処理回路を任意選択で含む。
【００５３】
例７において、例１から６の１つ又は任意の組み合わせの主題は、パケットシーケンス番号を、ＩＰパケットのペイロード部分に含めるように構成された処理回路を任意選択で含む。
【００５４】
例８において、例１から７の１つ又は任意の組み合わせの主題は、ユーザ機器（ＵＥ）に任意選択に含まれ、処理回路は、非セルラ通信チャネルとセルラ通信チャネルとを用いて、拡張型ノードＢ（ｅＮＢ）又はパケットデータネットワークゲートウェイ（ＰＤＮ  ＧＷ）のうちの少なくとも１つへのパケット化メッセージの送信を開始するように構成される。
【００５５】
例９において、例１から７の１つ又は任意の組み合わせの主題は、ｅＮＢ又はＰＤＮ  ＧＷに任意選択に含まれ、処理回路は、非セルラ通信チャネルとセルラ通信チャネルとを用いて、ＵＥへのパケット化メッセージの送信を開始するように構成される。
【００５６】
例１０において、例１から７の１つ又は任意の組み合わせの主題は、ロングタームエボリューション（ＬＴＥ）セルラデバイス、ＬＴＥアドバンストセルラデバイス、及び第５世代（５Ｇ）セルラデバイスのうちの少なくとも１つに任意選択に含まれる。
【００５７】
例１１において、例１から１０の１つ又は任意の組み合わせの主題は、物理層回路に電気的に接続される１又は複数のアンテナを任意選択で含む。
【００５８】
例１２は、非セルラ通信ネットワークの非セルラ通信チャネルとセルラ通信ネットワークのセルラ通信チャネルとを用いて、パケット化メッセージを送信し、パケット化メッセージは、複数のパケットシーケンス番号を含む複数のインターネットプロトコル（ＩＰ）パケットを含み、ＩＰパケットがパケットシーケンス番号を含むことを、複数のＩＰパケットのうちの一のＩＰパケットのＩＰヘッダフィールドに示すように無線通信デバイスを構成すべく、複数の動作を実行する、セルラ通信ネットワークの無線通信デバイスの１又は複数のプロセッサにより実行されるための複数の命令を格納し、コンピュータ可読記憶媒体のような主題を含み得、又はそのような主題を含むべく、例１から１１の１つ又は任意の組み合わせの主題で任意選択に組み合わせられ得る。
【００５９】
例１３において、例１２の主題は、無線通信デバイスに、ＥＰＳベアラスプリッティングのインジケータを、複数のＩＰパケットのうちの一のＩＰパケットのＩＰヘッダの差別化サービス（ＤＳ）フィールド、サービスタイプ（ＴｏＳ）フィールド、又は生存期間（ＴＴＬ）フィールドのうちの少なくとも１つに含めさせる複数の命令を任意選択で含む。
【００６０】
例１４において、例１２及び１３の１つ又は両方の主題は、無線通信デバイスに、パケット化メッセージを、ＩＰ層を含むネットワークプロトコル層スタックに従って送信させ、且つ、ＥＰＳベアラスプリッティングのインジケータを、ネットワークプロトコル層スタックにおいてＩＰ層より下の層に含めさせる複数の命令を任意選択で含む。
【００６１】
例１５において、例１２から１４の１つ又は任意の組み合わせの主題は、無線通信デバイスに、複数のパケットシーケンス番号を、複数のＩＰパケットのＩＰヘッダに含めさせる複数の命令を任意選択で含む。
【００６２】
例１６において、例１５の主題は、無線通信デバイスに、パケットシーケンス番号を、インターネットプロトコルバージョン４（ＩＰｖ４）ＩＰヘッダのフラグメントオフセットフィールド又は識別フィールドのうちの少なくとも１つに含めさせる複数の命令を任意選択で含む。
【００６３】
例１７において、例１５の主題は、無線通信デバイスに、パケットシーケンス番号を、インターネットプロトコルバージョン６（ＩＰｖ６）ＩＰヘッダのフローラベルフィールドに含めさせる複数の命令を任意選択で含む。
【００６４】
例１８において、例１２から１４の１つ又は任意の組み合わせの主題は、無線通信デバイスに、パケットシーケンス番号を、ＩＰパケットのペイロード部分に含めさせる複数の命令を任意選択で含む。
【００６５】
例１９において、例１２から１８の１つ又は任意の組み合わせの主題は、無線通信デバイスに、非セルラ通信ネットワークチャネルを用いて、複数のＩＰパケットのうちの一のＩＰパケットを、セルラ通信ネットワークの拡張型ノードＢ（ｅＮＢ）に送信させる複数の命令を任意選択で含む。
【００６６】
例２０において、例１２から１９の１つ又は任意の組み合わせの主題は、無線通信デバイスに、非セルラ通信チャネルを用いて、複数のＩＰパケットのうちの一のＩＰパケットを、セルラ通信ネットワークのパケットデータネットワークゲートウェイ（ＰＤＮ  ＧＷ）に送信させる複数の命令を任意選択で含む。
【００６７】
例２１は、非セルラ通信スペクトルの非セルラ通信チャネルとセルラネットワークのセルラ通信チャネルとを用いて、パケット化メッセージの送信を開始し、パケット化メッセージは、複数のインターネットプロトコル（ＩＰ）パケットを含み、ＩＰパケットがパケットシーケンス番号を含むことを、複数のＩＰパケットのうちの一のＩＰパケットのＩＰヘッダフィールドに示し、複数のパケットシーケンス番号を複数のＩＰパケットに含めるように構成された処理回路を備える（装置のような）主題を含み、又は、そのような主題を含むべく、例１から２０の１つ又は任意の組み合わせの主題で任意選択に組み合わせられ得る。
【００６８】
例２２において、例２１の主題は、複数のパケットシーケンス番号を、複数のＩＰパケットの複数のＩＰヘッダに含めるように構成された処理回路を任意選択で含む。
【００６９】
例２３において、例２１の主題は、パケットシーケンス番号を、複数のＩＰパケットの複数のデータペイロードに含めるように構成された処理回路を任意選択で含む。
【００７０】
例２４において、例２１から２３の１つ又は任意の組み合わせの主題は、セルラネットワークのユーザ機器デバイス（ＵＥ）に任意選択に含まれる。
【００７１】
例２５において、例２１から２３の１つ又は任意の組み合わせの主題は、セルラネットワークのパケットデータネットワークゲートウェイ（ＰＤＮ  ＧＷ）デバイスに任意選択に含まれる。
【００７２】
例２６は、セルラネットワークと非セルラネットワークとを経由して、１又は複数の別個の無線デバイスと直接的に通信すべく、複数の無線周波数電気信号を送信及び受信するように構成され、送信及び受信することは、非セルラ通信チャネルとセルラ通信チャネルとを用いて、複数のＩＰパケットを含むパケット化メッセージを受信することを含む物理層回路と、受信された複数のＩＰパケットが複数のパケットシーケンス番号を含むことを検出し、受信された複数のＩＰパケットを、複数のパケットシーケンス番号に従ってリオーダし、オーダされたパケット化メッセージを通信デバイスにより実行可能な処理に提供するように構成された処理回路とを備える（通信デバイスのような）主題を含み、又は、そのような主題を含むべく、例１から２５の１つ又は任意の組み合わせの主題で任意選択に組み合わせられ得る。
【００７３】
例２７において、例２６の主題は、複数のＩＰパケットのうちの一のＩＰパケットのＩＰヘッダの差別化サービス（ＤＳ）フィールド、サービスタイプ（ＴｏＳ）フィールド、生存期間（ＴＴＬ）フィールドのうちの少なくとも１つに含まれるＥＰＳベアラスプリッティングのインジケータをデコードするように構成された処理回路を任意選択で含む。
【００７４】
例２８において、例２６及び２７の１つ又は両方の主題は、パケット化メッセージを、ＩＰ層を含むネットワークプロトコル層スタックに従って受信し、ネットワークプロトコル層スタックにおいてＩＰ層より下の層に含まれるＥＰＳベアラスプリッティングのインジケータをデコードするように構成された処理回路を任意選択で含む。
【００７５】
例２９において、例２６から２８の１つ又は任意の組み合わせの主題は、受信されたＩＰパケットのＩＰヘッダフィールドに含まれるパケットシーケンス番号を読み出し、そのＩＰヘッダフィールドを規定値にリセットするように構成された処理回路を任意選択で含む。
【００７６】
例３０において、例２６から２９の１つ又は任意の組み合わせの主題は、セルラネットワークのユーザ機器（ＵＥ）、拡張型ノードＢ（ｅＮＢ）、又はパケットデータネットワークゲートウェイ（ＰＤＮ  ＧＷ）の１つに任意選択に含まれる。
【００７７】
例３１において、例２６から３０の１つ又は任意の組み合わせの主題は、ロングタームエボリューション（ＬＴＥ）セルラデバイス、ＬＴＥアドバンストセルラデバイス、及び第５世代（５Ｇ）セルラデバイスのうちの少なくとも１つに任意選択に含まれる。
【００７８】
これらの非限定的な例は、任意の置換または組み合わせで組み合わされ得る。
【００７９】
上記の詳細な説明は、詳細な説明の一部を形成する添付の図面への参照を含む。図面は、例示として、発明が実施され得る特定の実施形態を示す。これらの実施形態はまた、本明細書で「複数の例」として言及される。この文書中において参照される全ての出版物、特許、及び特許文献は、参照によって個別に組み込まれているかのように、それらの全体が、参照により本明細書中に組み込まれる。この文書と、参照によってそのように組み込まれたそれらの文書との間に矛盾する使用がある場合には、組み込まれた参照文献中の使用は、この文書における使用に対する補足的なものであると見なされるべきで、矛盾する不一致に対しては、この文書における使用が優先される。
【００８０】
本明細書で説明される方法の例は、少なくとも一部において機械又はコンピュータで実装され得る。いくつかの例は、上記複数の例において記載されたような方法を実行するよう電子デバイスを構成すべく動作可能な命令でエンコードされるコンピュータ可読記憶媒体、又は機械可読記憶媒体を含み得る。そのような方法の実装は、マイクロコード、アセンブリ言語コード、高級言語コード等のようなコードを含み得る。そのようなコードは、様々な方法を実行するためのコンピュータ可読命令を含み得る。コードは、コンピュータプログラム製品の部分を形成し得る。コードは、実行中、又は他の時点においてのような、１又は複数の揮発性、非一時的、又は不揮発性、有形のコンピュータ可読媒体に実体的に格納され得る。これらの有形のコンピュータ可読記憶媒体の例は、限定されるものではないが、ハードディスク、リムーバブル磁気ディスク、リムーバブル光ディスク（例えば、コンパクトディスク及びデジタルビデオディスク）、磁気カセット、メモリカード又はメモリスティック、ランダムアクセスメモリ（ＲＡＭ）、リードオンリメモリ（ＲＯＭ）等を含み得る。
【００８１】
要約書は、読者が、技術的開示の本質と趣旨を確認することを可能とする要約を要求する、連邦規則法典第３７巻セクション１．７２（ｂ）に準拠して提供される。それは、特許請求の範囲の範囲又は意味を限定又は解釈するのに用いられないという理解のもとで提出される。したがって、以下の特許請求の範囲は、本明細書で、詳細な説明に組み込まれ、各請求項は、それ自体が、別個の実施形態として独立している。また、以下の特許請求の範囲において、「含む」及び「備える」という用語は、非制限的で、即ち、請求項において、特許請求の範囲におけるそのような用語の後に列挙されたものに加えて複数のエレメントを含むシステム、デバイス、物品、または処理がなお、その請求項の範囲内に含まれるとみなされる。さらに、以下の特許請求の範囲において、「第１の」、「第２の」及び「第３の」等の用語は、単にラベルとして用いられており、それらの対象物に、複数の数的な要件を課すことが意図されるものではない。
【図１】
0006364668.tif 000002
【図２】
0006364668.tif 000003
【図３】
0006364668.tif 000004
【図４】
0006364668.tif 000005
【図５】
0006364668.tif 000006
【図６】
0006364668.tif 000007
【図７】
0006364668.tif 000008
【図８】
0006364668.tif 000009
【図９】
0006364668.tif 000010
【図１０】
0006364668.tif 000011
【図１１】
0006364668.tif 000012
【図１２】
0006364668.tif 000013